(57)【要約】      （修正有）【課題】使用者の体型に合わせると同時に、加熱部を有するので使用者への保温加熱機能によって、寒冷な環境においても使用者の快適性を向上させるサイズ調節可能な衣類を提供する。【解決手段】両脇下にそれぞれ分離する第１の側部２０及び第２の側部２１を有し、第１の側部２０上に第１の連結部２０ａが連結され、第２の側部２１上に第２の連結部２０ｂが連結され、且つ第１の側部２０と第２の側部２１とは第１の連結部２０ａと第２の連結部２０ｂとによってスライドファスナーを構成し、第１の連結部２０ａと第２の連結部２０ｂの間にスライドファスナー付きの調節帯布３を設け、衣類のサイズを自由に調節する。【選択図】図３
0003221120.tif 000002
【実用新案登録請求の範囲】
【請求項１】
両脇下にそれぞれ分離する第１の側部（２０）及び第２の側部（２１）を有し、前記第１の側部（２０）上に第１の連結部（２０ａ）が連結され、前記第２の側部（２１）上に第２の連結部（２０ｂ）が連結され、前記第１の側部（２０）と第２の側部（２１）とは第１の連結部（２０ａ）と第２の連結部（２０ｂ）との間の連結によって一体化する衣類本体（１）を含むことを特徴とするサイズ調節可能な衣類。
【請求項２】
一方の側に前記第１の連結部（２０ａ）が連結され、他方の側に前記第２の連結部（２０ｂ）が連結されている少なくとも１本の調節帯布（３）を更に含むことを特徴とする請求項１に記載のサイズ調節可能な衣類。
【請求項３】
前記第１の連結部（２０ａ）と前記第２の連結部（２０ｂ）によってスライドファスナーを構成することを特徴とする請求項２に記載のサイズ調節可能な衣類。
【請求項４】
前記第１の連結部（２０ａ）が面ファスナーの雌面であり、前記第２の連結部（２０ｂ）が面ファスナーの雄面であることを特徴とする請求項１または請求項２に記載のサイズ調節可能な衣類。
【請求項５】
前記第１の連結部（２０ａ）が前記第１の側部（２０）の内側面上に連結され、前記第２の連結部（２０ｂ）が前記第２の側部（２１）の外側面上に連結され、かつ前記調節帯布（３）の外側面に前記第２の連結部（２０ｂ）が連結され、内側面に前記第１の連結部（２０ａ）が連結されることを特徴とする請求項４に記載のサイズ調節可能な衣類。
【請求項６】
前記衣類本体（１）は主に外層部と内層部で構成され、前記外層部と前記内層部との間に加熱部（４）が設けられ、前記加熱部（４）が電熱線によって構成され、且つ前記加熱部（４）と外部電源線とは電気的に接続されていることを特徴とする請求項３または請求項５に記載のサイズ調節可能な衣類。
【請求項７】
複数組の前記加熱部（４）が設けられ、前記加熱部（４）同士が内蔵ワイヤによって順次に直列接続されていることを特徴とする請求項６に記載のサイズ調節可能な衣類。
【請求項８】
前記衣類本体（１）の胸元に前記加熱部（４）の回路をオンオフするための押しボタン式のスイッチ（１１）が取り付けられていることを特徴とする請求項６に記載のサイズ調節可能な衣類。
【請求項９】
前記衣類本体（１）に前記外部電源線を引き出すためのポケット（１０）を有することを特徴とする請求項６に記載のサイズ調節可能な衣類。
【請求項１０】
前記ポケット（１０）中に前記外部電源線と固定的に接続する連結ブロックが固着されていることを特徴とする請求項９に記載のサイズ調節可能な衣類。
【考案の詳細な説明】
【技術分野】
【０００１】
本考案は服装分野に関し、特にサイズ調節可能な衣類に関する。
【背景技術】
【０００２】
現在、市販されている衣類には衣類のショルダーやウェストを規定する対応の番号が付くことが一般的である。番号によってサイズが異なるが、その番号に対応するサイズは一定である。人の身長や痩せ具合によって、一着の服だけで異なる体型の使用者に対応することができず、かつ時間経過に伴い使用者の体型が変化するが、従来の衣類ではこのような変化に対応することができない問題がある。同時に、従来の衣類では機能単一の問題がある。
【考案の概要】
【０００３】
上記の問題を解決するために、本考案では、面ファスナーやスライドファスナー付きの調節帯布や面ファスナー付きの調節帯布によって該衣類のサイズを自由に調節することによって使用者の体型に合わせると同時に、加熱部を有するので使用者への保温加熱機能によって、寒冷な環境においても使用者が快適と感じるサイズ調節可能な衣類を提供する。その技術手段は以下の通りである。
【０００４】
両脇下にそれぞれ分離する第１の側部及び第２の側部を有し、上記第１の側部上に第１の連結部が連結され、上記第２の側部上に第２の連結部が連結され、且つ上記第１の側部と第２の側部とは第１の連結部と第２の連結部との間の連結によって一体化する衣類本体を含む。
【０００５】
上記技術手段に鑑み、一方の側に第１の連結部が連結され、他方の側に第２の連結部が連結される少なくとも１本の調節帯布を更に含む。
【０００６】
なお、上記第１の連結部と第２の連結部によってスライドファスナーを構成する。
【０００７】
なお、上記第１の連結部が面ファスナーの雌面であり、上記第２の連結部が面ファスナーの雄面である。
【０００８】
第１の連結部と第２の連結部によって一面のファスナーを構成することに鑑み、上記第１の連結部が第１の側部の内側面上に連結され、上記第２の連結部が第２の側部の外側面上に連結され、且つ上記調節帯布の外側面に第２の連結部が連結され、内側面に第１の連結部が連結されている。
【０００９】
上記技術手段に鑑み、上記衣類本体は主に外層部と内層部で構成され、上記外層部と内層部との間に加熱部が設けられ、上記加熱部が電熱線によって構成され、且つ上記加熱部と外部電源線とは電気的に接続されている。
【００１０】
上記技術手段に鑑み、複数組の上記加熱部が設けられ、加熱部同士が内蔵ワイヤによって順次に直列接続されている。
【００１１】
上記技術手段に鑑み、上記衣類本体の胸元に加熱部の回路をオンオフするための押しボタン式スイッチが取り付けられている。
【００１２】
上記技術手段に鑑み、上記衣類本体に上記外部電源線を引き出すためのポケットを有する。
【００１３】
上記技術手段に鑑み、上記ポケット中に外部電源線と固定的に接続する連結ブロックが固着されている。
【００１４】
本考案は、面ファスナーやスライドファスナー付きの調節帯布や面ファスナー付きの調節帯布によって該衣類のサイズを自由に調節することによって使用者の体型に合わせると同時に、加熱部を有するので使用者への保温加熱機能によって、寒冷な環境においても使用者が快適と感じる利点を有する。
【図面の簡単な説明】
【００１５】
本考案の実施例または従来技術中の技術手段を明らかにするために、以下実施例や従来技術の説明に用いられる図面を簡単に説明する。以下説明する図面は本考案の１つの実施例に過ぎず、当業者であれば、創造的な活動をすることなく以下の図面に基き他の実施図面を得ることは言うまでもない。
【００１６】
【図１】実施例１の三次元構造を示す模式図である。
【図２】実施例２の三次元構造を示す模式図である。
【図３】実施例２の側面視構造を示す模式図である。
【図４】実施例２の調節帯布の構造を示す模式図である。
【図５】実施例２の正面視構造を示す模式図である。
【図６】実施例２の背面視構造を示す模式図である。
【考案を実施するための形態】
【００１７】
以下、図面や実施例を参照して本考案をさらに説明する。
【実施例１】
【００１８】
図１に示すように、本実施例のサイズ調節可能な衣類は、両脇下にそれぞれ分離する第１の側部２０及び第２の側部２１を有し、上記第１の側部２０上に第１の連結部２０ａが連結され、上記第２の側部２１上に第２の連結部２０ｂが連結され、上記第１の側部２０と第２の側部２１とは第１の連結部２０ａと第２の連結部２０ｂとの間の連結によって一体化する衣類本体１を含み、上記第１の連結部２０ａが面ファスナーの雌面であり、上記第２の連結部２０ｂが面ファスナーの雄面であることが好ましい。雌面が細かく柔軟な繊維の付いたループ毛面である場合、雄面が硬いフックの付いたフック毛面であり、雌面が硬いフックの付いたフック毛面である場合、雄面が細かく柔軟な繊維の付いたループ毛面であり、いずれの場合でも良い。
【００１９】
好ましくは、一方の側に第１の連結部２０ａが連結され、他方の側に第２の連結部２０ｂが連結される少なくとも１本の調節帯布３を更に含み、即ち調節帯布３上にも面ファスナーを有する。
【００２０】
更に、上記第１の連結部２０ａが第１の側部２０の内側面上に連結され、上記第２の連結部２０ｂが第２の側部２１の外側面上に連結され、且つ上記調節帯布３の外側面に第２の連結部２０ｂが連結され、内側面に第１の連結部２０ａが連結されている。
【００２１】
着用する際に、調節帯布３を使用せず、直接に第１の側部２０上の第１の連結部２０ａと第２の側部２１上の第２の連結部２０ｂとの間の接着によって一体化し、且つ第１の連結部２０ａと第２の連結部２０ｂとの間の部分の重なり具合によってサイズを調節することができ、より大きい体型の使用者に対して、衣類の第１の側部２０と第２の側部２１を分離して、一定の幅を有する調節帯布３によってサイズを調節し、一方の側の脇下の調節帯布３が１本でも良く複数本でも良く、隣接の調節帯布３の間に、１つの調節帯布３上の第１の連結部２０ａともう１つの調節帯布３上の第２の連結部２０ｂを接着させ、このように順次に連結することによって、様々な体型の使用者に対応することができる。
【実施例２】
【００２２】
図２〜図６に示すように、本実施例のサイズ調節可能な衣類は、両脇下にそれぞれ分離する第１の側部２０及び第２の側部２１を有し、上記第１の側部２０上に第１の連結部２０ａが連結され、上記第２の側部２１上に第２の連結部２０ｂが連結され、上記第１の側部２０と第２の側部２１とは第１の連結部２０ａと第２の連結部２０ｂとの間の連結によって一体化する衣類本体１を含む。
【００２３】
図２と図３に示すように、一方の側に第１の連結部２０ａが連結され、他方の側に第２の連結部２０ｂが連結されている少なくとも１本の調節帯布３を更に含むことが好ましい。
【００２４】
好ましくは、上記第１の連結部２０ａと第２の連結部２０ｂによってスライドファスナーを構成する。
【００２５】
着用する際に、第１の側部２０と第２の側部２１を分離して、一定の幅を有する調節帯布３によってサイズを調節し、一方の側の脇下の調節帯布３が１本でも良く複数本でも良く、隣接の調節帯布３の間に、１つの調節帯布３上の第１の連結部２０ａともう１つの調節帯布３上の第２の連結部２０ｂを接着させ、このように順次に連結することによって、様々な体型の使用者に対応することができる。
【００２６】
図５と図６に示すように、好ましくは、上記衣類本体１は主に外層部と内層部で構成され、上記外層部と内層部の間に加熱部４が設けられ、上記加熱部４が電熱線で構成され、上記加熱部４と外部電源線とは電気的に接続され、上記電熱線がカーボン繊維電熱線であることが好ましい。
【００２７】
好ましくは、複数組の上記加熱部４が設けられ、加熱部４同士が内蔵ワイヤによって順次に直列接続されている。
【００２８】
好ましくは、上記衣類本体１の胸元に加熱部４の回路をオンオフするための押しボタン式スイッチ１１が取り付けられている。
【００２９】
更に、上記衣類本体１に上記外部電源線を引き出すためのポケット１０を有する。
【００３０】
また更に、上記ポケット１０中に外部電源線と固定的に接続する連結ブロックが固着されている。このようにすれば、外部電源線の引出長さを制限し、過度の力によってポケット１０中から外部電源線を必要以上に引き出すことによる回路破断を防止することができる。
【００３１】
以上、例を挙げて本考案を説明したが、本考案は上記の具体的な実施例に限定されるものではなく、本考案に基づく全ての変更や変形も本考案の保護範囲に含まれる。
【図１】
0003221120.tif 000003
【図２】
0003221120.tif 000004
【図３】
0003221120.tif 000005
【図４】
0003221120.tif 000006
【図５】
0003221120.tif 000007
【図６】
0003221120.tif 000008
【手続補正書】
【提出日】平成31年2月27日(2019.2.27)
【手続補正１】
【補正対象書類名】実用新案登録請求の範囲
【補正対象項目名】全文
【補正方法】変更
【補正の内容】
【実用新案登録請求の範囲】
【請求項１】
両脇下にそれぞれ分離する第１の側部（２０）及び第２の側部（２１）を有し、前記第１の側部（２０）上に第１の連結部（２０ａ）が連結され、前記第２の側部（２１）上に第２の連結部（２０ｂ）が連結され、前記第１の側部（２０）と第２の側部（２１）とは第１の連結部（２０ａ）と第２の連結部（２０ｂ）との間の連結によって一体化する衣類本体（１）を含むことを特徴とするサイズ調節可能な衣類。
【請求項２】
一方の側に前記第１の連結部（２０ａ）が連結され、他方の側に前記第２の連結部（２０ｂ）が連結されている少なくとも１本の調節帯布（３）を更に含むことを特徴とする請求項１に記載のサイズ調節可能な衣類。
【請求項３】
前記第１の連結部（２０ａ）と前記第２の連結部（２０ｂ）によってスライドファスナーを構成することを特徴とする請求項２に記載のサイズ調節可能な衣類。
【請求項４】
前記第１の連結部（２０ａ）が面ファスナーの雌面であり、前記第２の連結部（２０ｂ）が面ファスナーの雄面であることを特徴とする請求項２に記載のサイズ調節可能な衣類。
【請求項５】
前記第１の連結部（２０ａ）が前記第１の側部（２０）の内側面上に連結され、前記第２の連結部（２０ｂ）が前記第２の側部（２１）の外側面上に連結され、かつ前記調節帯布（３）の外側面に前記第２の連結部（２０ｂ）が連結され、内側面に前記第１の連結部（２０ａ）が連結されることを特徴とする請求項４に記載のサイズ調節可能な衣類。
【請求項６】
前記衣類本体（１）は主に外層部と内層部で構成され、前記外層部と前記内層部との間に加熱部（４）が設けられ、前記加熱部（４）が電熱線によって構成され、且つ前記加熱部（４）と外部電源線とは電気的に接続されていることを特徴とする請求項３または請求項５に記載のサイズ調節可能な衣類。
【請求項７】
複数組の前記加熱部（４）が設けられ、前記加熱部（４）同士が内蔵ワイヤによって順次に直列接続されていることを特徴とする請求項６に記載のサイズ調節可能な衣類。
【請求項８】
前記衣類本体（１）の胸元に前記加熱部（４）の回路をオンオフするための押しボタン式のスイッチ（１１）が取り付けられていることを特徴とする請求項６に記載のサイズ調節可能な衣類。
【請求項９】
前記衣類本体（１）に前記外部電源線を引き出すためのポケット（１０）を有することを特徴とする請求項６に記載のサイズ調節可能な衣類。
【請求項１０】
前記ポケット（１０）中に前記外部電源線と固定的に接続する連結ブロックが固着されていることを特徴とする請求項９に記載のサイズ調節可能な衣類。